(57)【要約】【課題】カラー画像の状態では目視で認識できる色の差異をモノクロ画像の状態でも目視で認識可能にする必要性が高い画像についてカラーからモノクロへ変換する場合、前記の色の差異が認識困難になることを抑制する。【解決手段】画像処理装置１１は、ＬＣＨの色空間のカラー画像データを、グレー階調値からなるモノクロ画像データに変換する変換処理を行うモノクロ画像出力部２４を備える。モノクロ画像出力部２４は、前記変換処理において、Ｌ値に相関するグレー階調値を出力する明暗強調モードと、明暗強調モードよりもＨ値に対する相関が強いグレー階調値を出力する色差強調モードとを切り替える。【選択図】図１
2015106881.tif 000002
【特許請求の範囲】
【請求項１】
明度に相関する明暗値と、色相角度および/または彩度に相関する色彩値とを少なくとも座標値として含む色空間のカラー画像データを、グレー階調値によって示されるモノクロ画像データに変換する変換処理を行う画像変換部を有し、
前記画像変換部は、前記変換処理において、少なくとも前記明暗値に相関する前記グレー階調値を出力する第１モードと、前記第１モードよりも前記色彩値に対する相関が強い前記グレー階調値を出力する第２モードとを切り替えることを特徴とする画像処理装置。
【請求項２】
前記画像変換部は、
前記第１モードにおいて、前記明暗値を前記グレー階調値として出力し、
前記第２モードにおいて、前記色彩値に与える重みを最も重くした上で前記色空間の各座標値の加重平均を求め、この加重平均を前記グレー階調値として出力するようになっていることを特徴とする請求項１に記載の画像処理装置。
【請求項３】
前記色空間は、ＬＣＨ色空間、ＸＹＺ色空間、Ｌ＊ａ＊ｂ＊色空間、Ｌ＊ｕ＊ｖ＊色空間のうちのいずれかの色空間であり、
（ａ）前記色空間が前記ＬＣＨ色空間である場合、前記明暗値はＬ値であり、前記色彩値はＣ値およびＨ値のうちのいずれか一方であり、
（ｂ）前記色空間が前記ＸＹＺ色空間である場合、前記明暗値はＹ値であり、前記色彩値はＸ値およびＺ値のうちのいずれか一方であり、
（ｃ）前記色空間がＬ＊ａ＊ｂ＊色空間のデータである場合、前記明暗値はＬ＊値であり、前記色彩値はａ＊値およびｂ＊値のうちのいずれか一方であり、
（ｄ）前記色空間がＬ＊ｕ＊ｖ＊色空間である場合、前記明暗値はＬ＊値であり、前記色彩値はｕ＊値およびｖ＊値のうちのいずれか一方であることを特徴とする請求項１または２に記載の画像処理装置。
【請求項４】
前記カラー画像データに基づいて領域分離処理を行う領域分離処理部を有し、
前記画像変換部は、前記領域分離処理において印刷写真または印画紙写真と判定された画像領域については前記第１モードによって前記変換処理を行い、前記領域分離処理において文字と判定された画像領域については前記第２モードによって前記変換処理を行うことを特徴とする請求項１から３のいずれか１項に記載の画像処理装置。
【請求項５】
請求項１から４のいずれか１項に記載の画像処理装置を備えたことを特徴とする画像形成装置。
【請求項６】
明度に相関する明暗値と、色相角度および/または彩度に相関する色彩値とを少なくとも座標値として含む色空間のカラー画像データを、グレー階調値によって示されるモノクロ画像データに変換する変換工程を有し、
前記変換工程では、少なくとも前記明暗値に相関する前記グレー階調値を出力する第１モードと、前記第１モードよりも前記色彩値に対する相関が強い前記グレー階調値を出力する第２モードとが切り替わるようになっていることを特徴とする画像処理方法。
【請求項７】
請求項１から４のいずれか１項に記載の画像処理装置としてコンピュータを機能させるための画像処理プログラムであって、コンピュータを上記各部として機能させるための画像処理プログラム。
【請求項８】
請求項７に記載の画像処理プログラムを記録したコンピュータ読み取り可能な記録媒体。
【発明の詳細な説明】
【技術分野】
【０００１】
本発明は、カラー画像を示すカラー画像データを、モノクロ画像を示すモノクロ画像データに変換する画像処理装置に関する。
【背景技術】
【０００２】
カラーの原稿を読み取って得られたカラー画像データ（例えばＲＧＢの信号）をモノクロ画像データ（グレーの階調値からなる信号）に変換し、このモノクロ画像データに基づいてモノクロ画像を出力（例えば印刷）することが従来からなされている。例えば、特許文献１には、ＲＧＢの色信号をＬＣＨの色信号に変換し、ＬＣＨの色信号に対して色調整処理を行った後、ＬＣＨの色信号をＲＧＢの色信号に逆変換し、逆変換後のＲＧＢの色信号を、モノクロ画像データに変換する印刷装置が示されている。
【先行技術文献】
【特許文献】
【０００３】
【特許文献１】特開２００１−１６４５９号公報
【発明の概要】
【発明が解決しようとする課題】
【０００４】
前記の従来技術によってカラー画像データをモノクロ画像データに変換した場合、カラー画像の状態では目視で認識できる色の差異がモノクロ画像の状態では目視で認識困難になるという現象が生じるが、画像の種類によっては当該現象が不都合になることもある。例えば、文章の重要性や注目度に応じて文字の色（黒文字、赤文字、青文字等）を使い分けている文書においては、文字の色の違いをわかり易く示さなければならないが、このような文書を示すカラー画像データをモノクロ画像データに変換した場合、文字の色の違いが不明確になるという不都合がある。
【０００５】
本発明は、カラー画像の状態では目視で認識できる色の差異をモノクロ画像の状態でも目視で認識可能にする必要性が高い画像については、カラー画像データをモノクロ画像データに変換しても前記の色の差異が認識困難になることを抑制できる画像処理装置を提供することを目的とする。
【課題を解決するための手段】
【０００６】
上記の課題を解決するために、本発明の一態様に係る画像処理装置は、明度に相関する明暗値と、色相角度および/または彩度に相関する色彩値とを少なくとも座標値として含む色空間のカラー画像データを、グレー階調値によって示されるモノクロ画像データに変換する変換処理を行う画像変換部を有し、前記画像変換部は、前記変換処理において、少なくとも前記明暗値に相関する前記グレー階調値を出力する第１モードと、前記第１モードよりも前記色彩値に対する相関が強い前記グレー階調値を出力する第２モードとを切り替えることを特徴とする。
【発明の効果】
【０００７】
本発明の一態様によれば、カラー画像の状態では目視で認識できる色の差異をモノクロ画像の状態でも目視で認識可能にする必要性が高い画像については、前記の第２モードに切り替えて前記変換処理を行うことにより、前記の色の差異が認識困難になることを抑制できるという効果を奏する。
【図面の簡単な説明】
【０００８】
【図１】本発明の実施形態１に係るモノクロ画像印刷装置の概略構成を示すブロック図である。
【図２Ａ】従来技術の画像処理装置において、カラー文書から読み取ったカラー画像データをモノクロ画像データに変換した場合の結果を示す説明図である。
【図２Ｂ】本発明の実施形態１に係るモノクロ画像印刷装置において、カラー文書から読み取ったカラー画像データをモノクロ画像データに変換した場合の結果を示す説明図である。
【図３】本発明の実施形態１に係るモノクロ画像印刷装置における処理順序を示したフローチャートである。
【発明を実施するための形態】
【０００９】
〔実施形態１〕
（実施形態１の概要）
まずは実施形態１の概要について説明する。本実施形態のモノクロ画像印刷装置（以下単に「印刷装置」と称す）は、ＬＣＨ色空間のカラー画像データを、Ｋ信号（グレーの階調値を示す階調信号）からなるモノクロ画像データに変換する変換処理を行い、モノクロ画像の印刷を行うものである。
【００１０】
特に、本実施形態の印刷装置は、前記変換処理において、（１）ＬＣＨ色空間におけるＣ値およびＨ値を使用せずにＬ値のみからＫ信号を出力する明暗強調モードと、（２）Ｈ値の重みを最も重くして、Ｌ値とＣ値とＨ値との加重平均値を求め、この加重平均値をＫ信号として出力する色差強調モードとを切り替えるようになっている。特に、本実施形態の印刷装置は、印刷写真領域または印画紙写真領域に属する画素については明暗強調モード（第１モード）にて前記変換処理を行い、文字領域に属する画素については色差強調モード（第２モード）にて前記変換処理を行うようになっている。
【００１１】
これにより、カラー画像の状態では目視で認識できる色の差異をモノクロ画像の状態でも目視で認識可能にする必要性が高い画像（文字）については、カラーからモノクロに変換した後でも前記の色の差異が認識困難になることを抑制できる。
【００１２】
（実施形態１の詳細）
つぎに、実施形態１を詳細に説明する。図１は、本実施形態に係る印刷装置（画像形成装置）の構成を示すブロック図である。
【００１３】
図１に示すように、本実施形態の印刷装置１は、画像入力装置１０と画像処理装置１１と画像出力装置１２とを備える。画像入力装置１０は、カラー原稿を読み取ることにより、ＲＧＢの３色の色情報に分解されたカラー画像データ（つまりＲＧＢの色空間の画像データ）を生成する。なお、Ｒは赤を意味し、Ｇは緑を意味し、Ｂは青を意味する。画像処理装置１１は、画像入力装置１０から画像データを入力し、この画像データに対して所定の画像処理を施す装置である。画像処理装置１１の詳細については後述する。画像出力装置１２は、画像処理装置１１にて画像処理の施された後の画像データを入力し、この画像データの画像をシートに印刷（出力）する装置である。
【００１４】
つぎに、画像処理装置１１の構成を詳細に説明する。図１に示すように、画像処理装置１１は、前処理部２１と、領域分離処理部２２と、色変換処理部２３と、モノクロ画像出力部（画像変換部）２４と、中間調処理部２５とを備える。また、前処理部２１は、メモリ処理部２１１とＲＧＢ補正部２２２とライン間調整部２３３とを備える。
【００１５】
メモリ処理部２１１は、画像入力装置１０にて生成されたＲＧＢの画像データをＦＩＦＯ（first in first out）メモリに一旦記憶させる処理を行うブロックである。また、メモリ処理部２１１は、ＦＩＦＯメモリに格納された画像データを原稿１枚分毎に読み出してＲＧＢ補正部２２２へ伝送する。
【００１６】
ＲＧＢ補正部２２２は、ＦＩＦＯメモリから読み出されたＲＧＢの画像データを入力し、この画像データにγ補正等のカラースキャナの特性の補正を行うブロックである。
【００１７】
ライン間調整部２３３は、ＲＧＢ補正部２２２による補正が行われた後の画像データをライン間調整用ＲＡＭに展開し、ライン間の画素値補正処理を行うブロックである。
【００１８】
領域分離処理部２２は、前処理部２１における一連の処理を終えた後のＲＧＢの画像データを入力し、この画像データを参照して領域分離処理を行うブロックである。具体的には、領域分離処理部２２は、画素毎（若しくは複数画素からなるブロック毎）に、当該画素（若しくはブロック）が文字画像領域、網点画像領域、写真画像領域等のいずれの画像領域に属するかを判定し、いずれの画像領域であるかを示した領域判別信号を出力する。なお、領域分離処理部２２に入力したＲＧＢの画像データは、領域分離処理の後に、色変換処理部２３に送られる。
【００１９】
色変換処理部２３は、ＲＧＢ色空間のカラー画像信号であるＲＧＢの画像データを、人間の色感覚に近いＬＣＨ色空間のカラー画像信号であるＬＣＨの画像データに変換するブロックである。ここで、Ｌは明度値、Ｃは彩度値、Ｈは色相角度を示す。
【００２０】
具体的には、色変換処理部２３は、図１に示すように、Ｌ変換部２３ａ、Ｃ変換部２３ｂ、Ｈ変換部２３ｃを有している。Ｌ変換部２３ａは、ＲＧＢの画像データをＬ値に変換するブロックである。Ｃ変換部２３ｂは、ＲＧＢの画像データをＣデータに変換するブロックである。Ｈ変換部２３ｃは、ＲＧＢの画像データをＨデータに変換するブロックである。
【００２１】
Ｌ変換部２３ａにおける変換手法については、詳細な説明は省略するが、例えば１画素毎にＲＧＢの信号をＬ信号に変換すればよく、周知の変換式によって変換できる。また、Ｃ変換部２３ｂ、Ｈ変換部２３ｃについても、Ｌ変換部２３ａと同様、例えば１画素毎に変換処理を行えばよく、周知の変換式によって変換できる。
【００２２】
なお、本実施形態では、ＲＧＢの値は、各々、８ビット（０〜２５５）である一方、ＲＧＢの値から変換されるＬ値の数値範囲は０（暗）〜９９（明）であり、ＲＧＢの値から変換されるＣ（彩度値）の数値範囲は０（くすんだ）〜９９（鮮やか）であり、Ｌ、Ｃ共に１００段階で表される。また、ＲＧＢの値から変換されるＨ（色相角度）の数値範囲は０〜３５９度であり、３６０段階で表される（例えば、０〜５９：赤〜黄色、６０〜１１９：黄色〜緑、１２０〜１７９：緑〜水色、１８０〜２３９：水色〜青、２４０〜２９９：青〜紫、３００〜３５９：紫〜赤）。
【００２３】
これに対し、本実施形態において、色変換処理部２３の後段のモノクロ画像出力部２４では、８ビットのＬＣＨの値から８ビット（０〜２５５）のグレー階調値を出力するようになっている。そこで、本実施形態の色変換処理部２３では、Ｒ値、Ｇ値、Ｂ値からＬ値、Ｃ値、Ｈ値を変換した後、さらに、Ｌ値、Ｃ値、Ｈ値の各々を８ビットのデータに正規化した上で、Ｌ値、Ｃ値、Ｈ値のカラー画像データをモノクロ画像出力部２４へ出力するようになっている。
【００２４】
つまり、Ｌ変換部２３ａは、０〜９９のＬ値を０〜２５５のＬ値に正規化し、Ｃ変換部２３ｂは、０〜９９のＣ値を０〜２５５のＣ値に正規化し、Ｈ変換部２３ｃは、０〜３５９のＨ値を０〜２５５のＨ値に正規化する。そして、正規化されたＬ値、Ｃ値、Ｈ値のカラー画像データが、色変換処理部２３からモノクロ画像出力部２４に伝送される。
【００２５】
モノクロ画像出力部２４は、色変換処理部２３から送られてくるカラー画像データを、Ｋ信号（グレー階調値）にて示されるモノクロ画像データに変換する変換処理を行うブロックである。なお、モノクロ画像出力部２４の処理の詳細については後述する。
【００２６】
中間調処理部２５は、モノクロ画像出力部２４にて変換されたモノクロ画像データを入力し、擬似階調法（誤差拡散、ディザ等）によって、モノクロ画像データに対して中間調処理を施す。この際、中間調処理部２５は、領域分離処理部２２から領域判別信号を入力し、この領域判別信号を参照して、文字領域、印刷写真（網点写真）、印画紙写真の各画像領域に対し、領域毎に適した中間調処理を行うようになっている。
【００２７】
中間調処理部２５にて中間調処理の施された後のモノクロ画像データは、中間調処理部２５から画像出力装置１２へ伝送される。そして、画像出力装置１２は、中間調処理部２５から伝送されてきたモノクロ画像データに基づいてシートへモノクロ画像を印刷する。
【００２８】
なお、前処理部２１による前処理以降の処理の流れは図３のようになる。つまり、画素毎に領域分離処理が行われ（Ｓ１１）、Ｓ１１の後でＲＧＢの画像データをＬＣＨの画像データに変換する処理が行われる（Ｓ１２ａ〜１２ｃ）。その後、Ｌ値、Ｃ値、Ｈ値を用いてグレー階調値が生成され（Ｓ１３）、グレー階調値からなるモノクロ画像データに対して中間調処理が施される（Ｓ１４）。
【００２９】
（モノクロ画像出力部について）
つぎにモノクロ画像出力部２４を詳細に説明する。本実施形態のモノクロ画像出力部２４は、前述したように、カラー画像データをモノクロ画像データに変換する変換処理を行うブロックであるが、領域分離処理部２２の判定結果に応じて前記変換処理の内容を切り替えるようになっている。
【００３０】
具体的には、モノクロ画像出力部２４は、印刷写真領域または印画紙写真領域に属する画素については明暗強調モードを実行し、文字画像領域に属する画素については色差強調モードを実行するようになっている。
【００３１】
明暗強調モード（第１モード）は、Ｃ値、Ｈ値の夫々よりもＬ値に対する相関が強いＫ値を出力するモードであり、本実施形態では、下記の式１に示すようにＬ値をそのままＫ値として出力するようになっている。
【００３２】
【数１】
2015106881.tif 000003
【００３３】
これに対して、色差強調モード（第２モード）は、明暗強調モードよりもＨ値に対する相関が強いＫ値を出力するモードであり、本実施形態ではＨ値に与える重みを最も重くした上でＬ値とＣ値とＨ値との加重平均を求め、この加重平均をＫ値として出力するようになっている。具体的には、上記の式２によってＫ値を出力するようになっている。
【００３４】
これにより、処理対象の画像が印刷写真または印画紙写真である場合、明度に対する相関が強いグレー階調のモノクロ画像が出力され、処理対象の画像が文字画像（文書等）である場合、色相角度に対する相関が強いグレー階調のモノクロ画像が出力されることになる。
【００３５】
つまり、（１）印刷写真または印画紙写真については、従来技術と同様に明度に対する相関の強いグレー階調のモノクロ画像に変換していることから、自然な感じを損なうことなくモノクロ画像を出力でき、（２）カラー画像の状態では目視で認識できる色の差異をモノクロ画像の状態でも目視で認識可能にする必要性が高い文字画像については、色相角度に対する相関が強いグレー階調のモノクロ画像を出力しているため、前記の色の差異が認識困難になることを抑制することが可能になるという効果を奏する。
【００３６】
つぎに、従来技術と比較した、本実施形態の利点を説明する。図２Ａは、（Ｒ，Ｇ，Ｂ）=（０，０，０）の黒文字と、（Ｒ，Ｇ，Ｂ）=（２５５，０，０）の赤文字と、（Ｒ，Ｇ，Ｂ）=（０，０，２５５）の青文字とが示されているカラー文書から読み取ったカラー画像データからモノクロ画像データを生成する処理を従来技術の画像処理装置にて行った場合の結果を示す説明図である。図２Ｂは、前記のカラーの文書から読み取ったカラー画像データからモノクロ画像データを生成する処理を本実施形態の画像処理装置１１にて行った場合の結果を示す説明図である。
【００３７】
従来技術の画像処理装置では、画像領域の種類に関係なく、図２Ａに示す変換式によってＲ値とＧ値とＢ値との加重平均をＫ値とするようになっている。よって、従来技術によれば、図２Ａに示すように、黒文字、赤文字、青文字の間で生じるグレー階調値の差分の平均が５１であり、差分の最小が２８．０５となる。
【００３８】
これに対し、本実施形態の画像処理装置１１では、文字画像領域については、前記色差強調モードが選択されるため、前記の式２によってＫ値を求めることになる。よって、本実施形態の画像処理装置１１によれば、図２Ｂに示すように、黒文字、赤文字、青文字の間で生じるグレー階調値の差分の平均が１３６であり、差分の最小が１０２となる。
【００３９】
すなわち、本実施形態の画像処理装置１１の色差強調モードによれば、黒文字、赤文字、青文字を含むカラー画像から変換されたモノクロ画像において、前記黒文字に対応する画素のグレー階調値と前記赤文字に対応する画素のグレー階調値と前記青文字に対応する画素のグレー階調値との差を従来技術の画像処理装置よりも大きくできる。それゆえ、本実施形態によれば、従来技術の画像処理装置よりも、カラーの文字画像をモノクロ画像に変換した場合、モノクロ画像においてカラーであった時の色の差異が不明確になることを抑制できる。
【００４０】
なお、以上の実施形態では、印刷写真画像または印画紙写真に属する画素については明暗強調モードが選択されることになるが、明暗強調モードでは、モノクロ画像出力部２４は、Ｃ値、Ｈ値を用いずにＬ値のみからＫ値を出力するようになっている。そこで、図１に示すように領域分離信号を色変換処理部２３にも入力し、印刷写真または印画紙写真に属する画素の場合にはＣ変換部２３ｂおよびＨ変換部２３ｃの処理を中止してＬ変換部２３ａのみに処理を行わせ、文字画像に属する画素の場合には、Ｌ変換部２３ａ、Ｃ変換部２３ｂ、Ｈ変換部２３ｃの全てに処理を行わせるようになっていてもよい。これにより、無駄な処理を省略できる。
【００４１】
（変形例）
以上の色差強調モードでは、Ｈ値に与える重みを最も重くした上で式２によってＫ値を出力する構成であるが、当該構成に限定されるものではない。要は、明度に相関する座標値（明暗値）と、前記明暗値よりも明度との相関が弱く且つ色相角度および/または彩度に対する相関が強い座標値（色彩値）とを少なくとも含む色空間の画像データをモノクロ画像データに変換する場合において、明暗強調モードよりも、前記色彩値との相関が強いグレー階調のモノクロ画像データが出力されるようになっていればよい。
【００４２】
例えば、明暗強調モードでは式１によってＫ値を出力するようになっている場合、色差強調モードでは、前記色彩値（Ｃ値またはＨ値）に与える重みを最も重くした上で前記色空間の各座標値の加重平均を求め、この加重平均をＫ値として出力するようにさえなっていればよい（つまり、式２においてｂまたはｃを最も大きくする）。また、色差強調モードでは、いずれか１種の色彩値（Ｃ値またはＨ値）に与える重みを１として、他の座標値に与える重みをゼロとして加重平均を求め、この加重平均をＫ値として出力するようになっていてもよい。つまり、この場合、色差強調モードでは、Ｃ値をそのままＫ値として出力するか、Ｈ値をそのままＫ値として出力することになる。
【００４３】
また、以上の明暗強調モードでは、式１に示すようにＬ値をそのままＫ値として出力する構成になっているが、当該構成に限定されるものではない。要は、出力されるグレー階調値が、Ｃ値（色彩値）、Ｈ値（色彩値）の夫々よりもＬ値（明暗値）に対する相関が強くなっていればよい。例えば、Ｌ値（明暗値）の重みを最も重くした上で、Ｌ値とＣ値（色彩値）とＨ値（色彩値）との加重平均を求め、この加重平均をＫ値として出力するようになっていてもよい。
【００４４】
また、モノクロ画像出力部２４から出力されるモノクロ画像データは、印刷処理に用いられる画像データに限定されるものではなく、ＰＤＦファイルやＴＩＦＦファイルを生成するファイリング処理や、インターネットファックスによる送信処理に用いられてもよい。
【００４５】
〔実施形態２〕
実施形態１においては、モノクロ画像出力部２４は、領域分離処理の結果に応じて明暗強調モードと色差強調モードとを切り替えるようになっているが、領域分離処理の結果をモード切り替えのトリガーとする形態に限られるものではなく、ユーザの指示をモード切り替えのトリガーとしてもよい。
【００４６】
例えば、モノクロ画像印刷装置１の操作パネルにおいて、通常原稿処理モードを示すボタンと色差強調モードを示すボタンとを表示し、ユーザが通常モードを選択した場合にはモノクロ画像出力部２４が明暗強調モードで処理を行い、ユーザが色差強調モードを選択した場合にはモノクロ画像出力部２４が色差強調モードで処理を行うようになっていてもよい。
【００４７】
〔実施形態３〕
また、実施形態１では画像入力装置１０において原稿から読み取られたカラー画像データをモノクロ画像データに変換して印刷する例を説明したが、勿論、モノクロ画像印刷装置１はネットワーク等を介して接続されている端末装置から送信されてくるカラー画像データをモノクロ画像データに変換して印刷するようになっていてもよい。この場合、画像処理装置１１は、端末装置から送信されてくるカラー画像データに付加されているタグ情報を参照して各画素の属する画像領域を判定する領域判定部を備えている。ここで判定される画像領域とは、文字画像、グラフ、写真画像等である。そして、色変換処理部２３が、前記のカラー画像データからＬＣＨ値を出力するようになっており、モノクロ画像出力部２４が、写真については明暗強調モードで処理を行い、文字画像またはグラフについては色差強調モードで処理を行うようになっている。
【００４８】
〔実施形態４〕
実施形態１では、ＲＧＢ色空間の画像データをＬＣＨ色空間の画像データに変換し、ＬＣＨ色空間の画像データをモノクロ画像データに変換するようになっているが、ＬＣＨ色空間以外の色空間のカラー画像データをモノクロ画像データに変換するようになっていてもよい。具体的には、明度に相関する座標値（明暗値）と、彩度または色相角度の少なくともいずれかに相関する座標値（色彩値）とを少なくとも含む色空間であれば、ＬＣＨ色空間に限定されるものではない。
【００４９】
例えば、ＬＣＨ色空間の代わりにＬ＊ａ＊ｂ＊色空間を用いてもよい（Ｌ＊が前記明暗値に相当し、ａ＊値、ｂ＊値が前記色彩値に相当する）。この場合の実施形態の一例として以下の構成が挙げられる。例えば、色変換処理部２３が、ＲＧＢの画像データをＬ＊ａ＊ｂ＊の画像データに変換する。そして、モノクロ画像出力部２４が、明暗強調モードにおいて、Ｌ＊値をそのままＫ値としてとして出力し、色差強調モードにおいて、ａ＊値およびｂ＊値のうちの一方の重みを最も重くしてＬ＊値とａ＊値とｂ＊値との加重平均を求め、この加重平均をＫ値として出力する。
【００５０】
また、ＬＣＨ色空間の代わりにＬ＊ｕ＊ｖ＊色空間を用いてもよい（Ｌ＊が前記明暗値に相当し、ｕ＊値、ｖ＊値が前記色彩値に相当する）。この場合の実施形態の一例として以下の構成が挙げられる。色変換処理部２３が、ＲＧＢの画像データをＬ＊ｕ＊ｖ＊の画像データに変換する。そして、モノクロ画像出力部２４が、明暗強調モードにおいて、Ｌ＊値をそのままＫ値としてとして出力し、色差強調モードにおいて、ｕ＊値およびｖ＊値のうちの一方の重みを最も重くしてＬ＊値とｕ＊値とｖ＊値との加重平均を求め、この加重平均をＫ値として出力する。
【００５１】
或いは、ＬＣＨ色空間の代わりにＸＹＺ色空間を用いてもよい（Ｙ値が前記明暗値に相当し、Ｘ値、Ｚ値が前記色彩値に相当する）。この場合の実施形態の一例として以下の構成が挙げられる。色変換処理部２３が、ＲＧＢの画像データをＸＹＺの画像データに変換する。そして、モノクロ画像出力部２４が、明暗強調モードにおいて、Ｙ値をそのままＫ値としてとして出力し、色差強調モードにおいて、Ｘ値およびＺ値のうちの一方の重みを最も重くしてＸ値とＹ値とＺ値との加重平均を求め、この加重平均をＫ値として出力する。
【００５２】
〔ソフトウェアによる実現例〕
本実施形態の画像処理装置１１の制御ブロック（領域分離処理部２２、色変換処理部２３、モノクロ画像出力部２４）は、集積回路（ＩＣチップ）等に形成された論理回路（ハードウェア）によって実現してもよいし、ＣＰＵ（Central Processing Unit）を用いてソフトウェアによって実現してもよい。
【００５３】
後者の場合、画像処理装置１１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５４】
〔まとめ〕
本発明の態様１に係る画像処理装置は、明度に相関する明暗値と、色相角度および/または彩度に相関する色彩値とを少なくとも座標値として含む色空間のカラー画像データを、グレー階調値によって示されるモノクロ画像データに変換する変換処理を行う画像変換部を有し、前記画像変換部は、前記変換処理において、少なくとも前記明暗値に相関する前記グレー階調値を出力する第１モードと、前記第１モードよりも前記色彩値に対する相関が強い前記グレー階調値を出力する第２モードとを切り替えることを特徴とする。
【００５５】
前記態様１の構成によれば、カラー画像の状態では目視で認識できる色の差異をモノクロ画像の状態でも目視で認識可能にする必要性が高い画像については、前記の第２モードに切り替えて前記変換処理を行うことにより、前記の色の差異が認識困難になることを抑制できるという効果を奏する。
【００５６】
また、本発明の態様２に係る画像処理装置は、前記態様１の構成に加え、前記画像変換部が、前記第１モードにおいて、前記明暗値を前記グレー階調値として出力し、前記第２モードにおいて、前記色彩値に与える重みを最も重くした上で前記色空間の各座標値の加重平均を求め、この加重平均を前記グレー階調値として出力するようになっていることを特徴とする。
【００５７】
前記態様２の構成によれば、前記第１モードでは、前記明暗値に相関する前記グレー階調値を出力でき、前記第２モードでは、前記第１モードよりも前記色彩値に対する相関が強い前記グレー階調値を出力できる。
【００５８】
また、本発明の態様３に係る画像処理装置は、態様１または態様２の構成に加え、前記色空間が、ＬＣＨ色空間、ＸＹＺ色空間、Ｌ＊ａ＊ｂ＊色空間、Ｌ＊ｕ＊ｖ＊色空間のうちのいずれかの色空間であり、（ａ）前記色空間が前記ＬＣＨ色空間である場合、前記明暗値はＬ値であり、前記色彩値はＣ値およびＨ値のうちのいずれか一方であり、（ｂ）前記色空間が前記ＸＹＺ色空間である場合、前記明暗値はＹ値であり、前記色彩値はＸ値およびＺ値のうちのいずれか一方であり、（ｃ）前記色空間がＬ＊ａ＊ｂ＊色空間のデータである場合、前記明暗値はＬ＊値であり、前記色彩値はａ＊値およびｂ＊値のうちのいずれか一方であり、（ｄ）前記色空間がＬ＊ｕ＊ｖ＊色空間である場合、前記明暗値はＬ＊値であり、前記色彩値はｕ＊値およびｖ＊値のうちのいずれか一方であることを特徴とする。
【００５９】
また、本発明の態様４に係る画像処理装置は、態様１〜態様３のいずれかの構成に加え、前記カラー画像データに基づいて領域分離処理を行う領域分離処理部を有し、前記画像変換部は、前記領域分離処理において印刷写真または印画紙写真と判定された画像領域については前記第１モードによって前記変換処理を行い、前記領域分離処理において文字と判定された画像領域については前記第２モードによって前記変換処理を行うことを特徴とする。
【００６０】
これにより、カラー画像の状態では目視で認識できる色の差異をモノクロ画像の状態でも目視で認識可能にする必要性が高い画像（文字）については第２モードで処理を行い、前記の必要性の低い画像（写真）については第１モードで処理を行うことになるが、第１モードと第２モードとの切り替えを自動で行うことができる。
【００６１】
また、写真と文字とが混在しているような画像についてカラー画像データをモノクロ画像データに変換する場合、写真領域に属する画素については第１モードで処理を行い、文字領域に属する画素については第２モードで処理を行うといったことが可能になる。
【００６２】
また、本発明の態様５に係る画像形成装置は、前記態様１〜４のいずれかの画像処理装置を備えていることを特徴とする。
【００６３】
また、本発明の態様６に係る画像処理方法は、明度に相関する明暗値と、色相角度および/または彩度に相関する色彩値とを少なくとも座標値として含む色空間のカラー画像データを、グレー階調値によって示されるモノクロ画像データに変換する変換工程を有し、前記変換工程では、少なくとも前記明暗値に相関する前記グレー階調値を出力する第１モードと、前記第１モードよりも前記色彩値に対する相関が強い前記グレー階調値を出力する第２モードとが切り替わるようになっていることを特徴とする。
【００６４】
また、本発明の各態様に係る画像処理装置は、コンピュータによって実現してもよく、この場合には、コンピュータを上記画像処理装置が備える各部として動作させることにより上記画像処理装置をコンピュータにて実現させる画像処理プログラム、およびそれを記録したコンピュータ読み取り可能な記録媒体も、本発明の範疇に入る。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６６】
本発明は、デジタル画像データを処理する画像処理装置に利用できる。
【符号の説明】
【００６７】
１    モノクロ画像印刷装置（印刷装置、画像形成装置）
１１  画像処理装置
２２  領域分離処理部
２４  モノクロ画像出力部（画像変換部）
【図１】
2015106881.tif 000004
【図２Ａ】
2015106881.tif 000005
【図２Ｂ】
2015106881.tif 000006
【図３】
2015106881.tif 000007